【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
複数の行配線と複数の列配線との各交点に配置された複数の電子放出素子を有する背面板と、アノード電圧が与えられるメタルバックと蛍光体とを有する前面板とを有する表示パネルと、前記行配線の端に設けられた走査回路と、前記列配線に表示データを与える変調回路とを備えた表示装置において、
前記行配線の端部で接地点から端部画素に流れ込む全電流を、各画素の前記行配線から前記列配線に流れる電流の中で該端部側から該画素に流れ込む成分を重ねあわせることにより求める全電流計算手段と、
前記全電流に該接地点から該端部画素までの抵抗を乗算して端部画素における電圧降下を求める端部画素電圧降下計算手段と、
該端部から第ｍ番目までの画素で行配線から列配線に流れる電流を逐次加算し、この加算電流を前記全電流から減算して隣接画素間で流れる電流を求める隣接画素間電流計算手段と、
端部から第ｍ番目までの隣接画素間電流を逐次加算した値に一画素当りの抵抗値を乗算して隣接画素間電圧降下の積算値を求め、端部の画素における電圧降下から演算して各画素における電圧降下を求める画素電圧降下計算手段とを設け、
電圧降下計算手段の出力値により補正された表示データを列配線に与えることによって、前記走査回路から行配線に流れ込む電流による電圧降下を補正することを特徴とする表示装置。
【請求項２】
前記列配線は、表示パネルの中央で分割され、分割された列配線に表示データを与える変調回路と、分割された列配線に対応した行配線の両端に走査回路とを設けて、表示パネルに画像を同時に表示することを特徴とする請求項１に記載の表示装置
【請求項３】
複数の行配線と複数の列配線との各交点に配置された複数の電子放出素子を有する背面板と、アノード電圧が与えられるメタルバックと蛍光体とを有する前面板とを有する表示パネルと、前記行配線の端に設けられた走査回路と、前記列配線に表示データを与える変調回路とを備えた表示装置において、
表示する画像データに応じて決まる行配線各部で生じる電圧降下を補償するように表示データ補正するための補正電圧を算出する補正電圧算出手段を設け、
補正電圧算出に用いる接地点と行配線端部画素間の抵抗値が行毎に異なることを特徴とする表示装置。
【手続補正２】
【補正対象書類名】明細書
【補正対象項目名】００２２
【補正方法】変更
【補正の内容】
【００２２】
第１のデータドライバのデータレジスタ２４への表示データ取り込みが終了すると信号ＨＩＯ２(あるいはＨＩＯ１)の電圧が論理回路用電圧Ｖｃｃとなり、必要に応じて第２のデータドライバ(図示せず)の信号ＨＩＯ１(あるいはＨＩＯ２)に加えられ、第２のデータドライバの表示データ取り込みが開始される。
【手続補正３】
【補正対象書類名】明細書
【補正対象項目名】００２９
【補正方法】変更
【補正の内容】
【００２９】
第１のスキャンドライバ内のシフトが終了すると信号ＶＩＯ２(あるいはＶＩＯ１)の電圧が論理回路用電圧Ｖｃｃとなり、必要に応じて第２のスキャンドライバ(図示せず)の信号ＶＩＯ１(あるいはＶＩＯ２)に加えられ、第２のスキャンドライバ内のシフトが開始される。この様にして全行が順次選択される。
【手続補正４】
【補正対象書類名】明細書
【補正対象項目名】００３４
【補正方法】変更
【補正の内容】
【００３４】
図５は、走査回路を両側に配置した時の行配線電圧降下と補正の様子を説明する等価回路図である。３はＭＩＭ型電子放出素子、ｒは１画素当たりの走査線抵抗、Ｒoは接地点から両端の画素までの抵抗、ｉｍは第ｍ番目の画素のダイオード電流、ｉＲｍは第ｍ番目の画素のダイオード電流ｉｍの中で右から流れ込む成分、ｉＬｍは第ｍ番目の画素のダイオード電流ｉｍの中で左から流れ込む成分、Ｖｍは第ｍ番目の画素に生じる行配線電圧降下、Iｍは第ｍ番目の画素から第ｍ＋１番目の画素に流れる電流である。
【手続補正５】
【補正対象書類名】明細書
【補正対象項目名】００４２
【補正方法】変更
【補正の内容】
【００４２】
【数４】
2006171396.tif 000001
この電流ＩＮに接地点から両端の画素までの抵抗Ｒｏをかけると、第Ｎ番目の画素での電圧降下ＶＮが、次式(5)により求められる。
【手続補正６】
【補正対象書類名】明細書
【補正対象項目名】００５５
【補正方法】変更
【補正の内容】
【００５５】
次の水平期間になると、ラインメモリ６３よりＮ番目の画素から順次表示データが読み出されるのに同期して、補正のための電圧降下が計算加算される。第ｍ−１番目の画素に生じる電圧降下Ｖｍ−１は以下の様に計算される。ラインメモリ６８−１からｍ番目のダイオード電流ｉｍが読み出され、この電流ｉｍは、電流ｉｊ加算回路６８−６内に保持されたＮ番目の画素から第ｍ＋１番目の画素のダイオード電流の和に加算される。
【手続補正７】
【補正対象書類名】明細書
【補正対象項目名】００５６
【補正方法】変更
【補正の内容】
【００５６】
加算された結果は、電流Ｉｍ−１計算回路６８−７で、電流ＩＮラッチ回路６８−３に保持された電流ＩＮから減算され符号を逆転することで、式(6)に示す第ｍ−１番目の画素から第ｍ番目の画素に流れる電流Ｉｍ−１が計算される。計算された電流Ｉｍ−１は、電流Ｉｊ加算回路６８−８内に保持された『右端のＮ番目の画素から接地点に流れる全電流ＩＮ』から『第ｍ番目の画素から第ｍ＋１番目の画素に流れる電流Ｉｍ』までの電流の和に加算される。
【手続補正８】
【補正対象書類名】明細書
【補正対象項目名】００５９
【補正方法】変更
【補正の内容】
【００５９】
本実施例では、右端部の画素に接地点から流れる全電流ＩＮを各画素のダイオード電流の中で右から流れ込む電流を重ね合わせることにより式(4)で求め、この電流ＩＮに接地点から右端部画素までの抵抗Ｒｏをかけ、端部の画素での電圧降下ＶＮを式(5)により求める。
【手続補正９】
【補正対象書類名】明細書
【補正対象項目名】００６０
【補正方法】変更
【補正の内容】
【００６０】
ついで、端部から第ｍ番目の画素までのダイオード電流ｉｍを逐次加算した値を全電流ＩＮから減算し、第ｍ−１番目の画素から第ｍ番目の画素に流れる電流Ｉｍ−１を式(6)により求め、さらに、この隣接画素間電流Ｉｍ−１を端部から第ｍ−１番目まで逐次加算した値に１画素当たりの抵抗値ｒをかけた隣接画素間の電圧降下の和を電圧降下ＶＮから順次演算し、式(7)により第ｍ−１番目の画素に生じる電圧降下Ｖｍ−１を求めている。
【手続補正１０】
【補正対象書類名】明細書
【補正対象項目名】００６７
【補正方法】変更
【補正の内容】
【００６７】
【数９】
2006171396.tif 000002
また、式(8)と同様に、第ｍ番目の画素における電流保存則から、第ｍ番目の画素から第ｍ＋１番目の画素に流れる電流Ｉｍは、第ｍ−１番目の画素から第ｍ番目の画素に流れる電流Ｉｍ−１から第ｍ番目の画素のダイオード電流ｉｍを減算した値となる。同様な関係が第ｍ−１番目から第１番目までの画素で成り立つから、次式(10)が成り立つ。
【手続補正１１】
【補正対象書類名】明細書
【補正対象項目名】００６８
【補正方法】変更
【補正の内容】
【００６８】
【数１０】
2006171396.tif 000003
さらに、第ｍ＋１番目の画素に生じる電圧降下Ｖｍ＋１は、電圧降下Ｖｍに、電流Ｉｍに１画素当たりの抵抗をかけた隣接画素間の電圧降下ｒＩｍを減算した値となる。同様な関係が第ｍ−１番目から第１番目までの画素で成り立つから、次式(11)が成り立つ。
【手続補正１２】
【補正対象書類名】明細書
【補正対象項目名】００７４
【補正方法】変更
【補正の内容】
【００７４】
この加算値は、Ｖｍ＋１計算回路７８−９に入力されて、１画素当たりの走査線抵抗ｒを乗じられ、Ｖ１ラッチ回路７８−５に保持された電圧降下Ｖ１から減算され、式(11)に示す第ｍ＋１番目の画素に生じる電圧降下Ｖｍ＋１が求められる。
【手続補正１３】
【補正対象書類名】明細書
【補正対象項目名】００７５
【補正方法】変更
【補正の内容】
【００７５】
本実施例では、接地点から左端の画素に向かって流れる電流Ｉ０を各画素のダイオード電流の中で左端に向かう成分を重ね合わせることにより式(8)で求め、この電流Ｉ０に接地点から左端の画素までの抵抗Ｒｏをかけ、端部の画素での電圧降下Ｖ１を式(9)により求める。
【手続補正１４】
【補正対象書類名】明細書
【補正対象項目名】００７６
【補正方法】変更
【補正の内容】
【００７６】
ついで、端部から第ｍ番目の画素までのダイオード電流ｉｍを逐次加算した値を全電流Ｉ０から減算し、第ｍ番目の画素から第ｍ＋１番目の画素に流れる電流Ｉｍを式(10)により逐次求め、さらに、この隣接画素間電流を端部から第ｍ番目まで逐次加算した値に１画素当たりの抵抗値ｒをかけた隣接画素間の電圧降下の和を電圧降下Ｖ１から逐次減算し、式(11)により第ｍ＋１番目の画素に生じる電圧降下Ｖｍ＋１を逐次求めている。